(57)【要約】【課題】本発明は、転送損失を低減することができるプリント基板を提供することを目的とする。【解決手段】本発明のプリント基板は、第一信号層、第二信号層、少なくとも１つのリファレンス層及び複数のビアを備え、前記リファレンス層は、前記第一信号層と前記第二信号層との間に挟まれて位置すると共に複数の絶縁区域を備え、前記第一信号層及び前記第二信号層は、それぞれ複数の信号線を備え、前記ビアは、前記第一信号層の信号線と前記第二信号層の信号線との間を電気的に接続し、互いに隣接して設置された少なくとも２つの前記ビアは、同一の前記絶縁区域に対応し、該絶縁区域内には、少なくとも２つの通孔が設けられ、少なくとも２つの前記通孔は、それぞれ互いに隣接する少なくとも２つの前記ビアに対応する。【選択図】図１
2015029100.tif 000002
【特許請求の範囲】
【請求項１】
第一信号層、第二信号層、少なくとも１つのリファレンス層及び複数のビアを備え、前記リファレンス層は、前記第一信号層と前記第二信号層との間に挟まれて位置すると共に複数の絶縁区域を備え、前記第一信号層及び前記第二信号層は、それぞれ複数の信号線を備え、前記ビアは、前記第一信号層の信号線と前記第二信号層の信号線との間を電気的に接続する、プリント基板において、
互いに隣接して設置された少なくとも２つの前記ビアは、同一の前記絶縁区域に対応し、該絶縁区域内には、少なくとも２つの通孔が設けられ、少なくとも２つの前記通孔は、それぞれ互いに隣接する少なくとも２つの前記ビアに対応することを特徴とするプリント基板。
【請求項２】
前記リファレンス層は、導電区域を備え、前記ビアは、溶接盤を備え、前記溶接盤は、前記第一信号層及び前記第二信号層に設置され、前記溶接盤の前記絶縁区域内への投影と前記導電区域との間の最小距離は、予め設定した距離値より大きいことを特徴とする請求項１に記載のプリント基板。
【請求項３】
前記予め設定した距離値は、７．６２×１０-５ｍであることを特徴とする請求項２に記載のプリント基板。
【発明の詳細な説明】
【技術分野】
【０００１】
本発明は、プリント基板に関するものである。
【背景技術】
【０００２】
複数層のプリント基板は、少なくとも２つの信号層及び少なくとも１つのリファレンス層を備える。リファレンス層は、少なくとも２つの信号層との間に設置されており、且つ信号層と組み合わさって電流経路を形成する。また、信号層には、複数の導線が設置されており、そして、異なる信号層に設置された２つの導線同士を連通させるために、２つの導線が接続される箇所に、リファレンス層を貫通するビアが設けられている。また、リファレンス層には、電気的に絶縁するための絶縁区域が設置されており、この絶縁区域は絶縁材料によって覆われているため、信号がリファレンス層に直接流れ込むことが防止される。絶縁区域は円環状であり、且つビアと同軸上に設置されている。しかし、高速信号がビアを通過して転送される際、転送損失が発生する。この転送損失は、リファレンス層上の絶縁区域の大きさと反比例する。即ち、絶縁区域が小さければ小さいほど高速信号の転送損失は大きくなる。従来、絶縁区域の大きさは一定の大きさであるので、高速信号の転送損失は大きい。
【発明の概要】
【発明が解決しようとする課題】
【０００３】
以上の問題点に鑑みて、本発明は、転送損失を低減することができるプリント基板を提供することを目的とする。
【課題を解決するための手段】
【０００４】
上記の課題を解決するために、本発明のプリント基板は、第一信号層、第二信号層、少なくとも１つのリファレンス層及び複数のビアを備え、前記リファレンス層は、前記第一信号層と前記第二信号層との間に挟まれて位置すると共に複数の絶縁区域を備え、前記第一信号層及び前記第二信号層は、それぞれ複数の信号線を備え、前記ビアは、前記第一信号層の信号線と前記第二信号層の信号線との間を電気的に接続し、互いに隣接して設置された少なくとも２つの前記ビアは、同一の前記絶縁区域に対応し、該絶縁区域内には、少なくとも２つの通孔が設けられ、少なくとも２つの前記通孔は、それぞれ互いに隣接する少なくとも２つの前記ビアに対応する。
【発明の効果】
【０００５】
本発明のプリント基板では、互いに隣接する少なくとも２つのビアの周縁が１つの絶縁区域によって囲まれるため、各ビアに対応する絶縁区域の面積が増大され、それにより、高速信号の転送損失を低減させることができる。
【図面の簡単な説明】
【０００６】
【図１】本発明に係るプリント基板の斜視図である。
【図２】図１に示したプリント基板の信号線を省略し、且つ他の角度から見た拡大斜視図である。
【図３】図２に示したプリント基板のリファレンス層の平面図である。
【発明を実施するための形態】
【０００７】
以下、図面に基づいて、本発明に係るプリント基板について詳細に説明する。図１に示したように、プリント基板１００は、第一信号層１０ａ、第二信号層１０ｂ、少なくとも１つのリファレンス層２０及び少なくとも２つのビア３０を備える。第一信号層１０ａ、第二信号層１０ｂ、少なくとも１つのリファレンス層２０は組み立てられて、一体化されている。本実施形態において、プリント基板１００は、３層のプリント基板である。なお、本発明に係るプリント基板は、複数の信号層１０及び複数のリファレンス層２０を備える複数層のプリント基板であってもよい。
【０００８】
第一信号層１０ａ及び第二信号層１０ｂは、それぞれ複数の信号線１２を備える。この複数の信号線１２の幅は皆同じであり、また、複数の信号線１２間の距離は各々等しい。第一信号層１０ａの信号線１２は、ビア３０を通過して、第二信号層１０ｂの信号線１２と電気的に接続して電気信号を転送する。
【０００９】
図２に示したように、ビア２つの信号層１０の信号線１２の間を電気的に接続するビア３０は、２つの溶接盤３１及び本体３２を備える。溶接盤３１は、円環状を呈し、信号層１０上に位置し、且つ信号線１２と電気的に接続する。本体３２は、円筒状を呈し、その直径は、溶接盤３１の内径に等しい。本体３２は、導電性金属である。本実施形態において、ビア３０は、貫通されたビア（スルービア）であり、プリント基板１００を貫通している。なお、本発明に係るプリント基板におけるビアは、埋め込み型のビア（ベリードビア）や行き止まり型のビア（ブラインドビア）であってもよく、複数層のプリント基板１００の内部に設置されてもよい。
【００１０】
リファレンス層２０は、第一信号層１０ａと第二信号層１０ｂとの間に挟まれており、且つ複数の絶縁区域２１及び導電区域２３を備える。絶縁区域２１は、絶縁材料によって覆われており、且つビア３０に対応する。また、図３に示したように、絶縁区域２１は、少なくとも２つの通孔２１２を備え、該通孔２１２の直径は、対応するビア３０の本体３２の外径に等しい。導電区域２３は、銅箔を敷設して形成されている。溶接盤３１のリファレンス層２０への投影は、対応する絶縁区域２１内に位置し、導電区域２３間の最小距離は、予め設定した距離値より大きい。本実施形態において、予め設定した距離値は、３ｍｉｌ（７．６２×１０-５ｍ）である。
【００１１】
２つのビア３０が互いに隣接する際、それら２つのビア３０は同一の絶縁区域２１に対応する。すなわち、絶縁区域２１には２つの通孔２１２が設置され、そして、これらの通孔２１２は互いに隣接する２つのビア３０に対応する。つまり、１つの絶縁区域２１が同時に２つのビア３０に対応する。なお、本発明に係るプリント基板では、３つ以上のビアが互いに隣接してもよく、また、その場合に、絶縁区域２１には３つ以上の通孔が設置され、絶縁区域２１が同時に３つ以上のビアに対応してもよい。上述したプリント基板１００によれば、各ビア３０に対応する絶縁区域２１の面積が増大するため、高速信号がビア３０を通過して転送される際、高速信号の転送損失は、対応する絶縁区域２１の面積と反比例して低減される。
【符号の説明】
【００１２】
１００  プリント基板
１０  信号層
１０ａ  第一信号層
１０ｂ  第二信号層
２０  リファレンス層
３０  ビア
１２  信号線
２１  絶縁区域
２１２  通孔
２３  導電区域
３１  溶接盤
３２  本体
【図１】
2015029100.tif 000003
【図２】
2015029100.tif 000004
【図３】
2015029100.tif 000005